(57)【要約】【課題】撮影レンズの前面に設けられるレンズバリアを有効に使用することでカメラ本体の厚みを薄くする。【解決手段】レンズバリア１２にメディアスロット４０と、該メディアスロット４０と接続される回路基板４１とを設け、レンズバリア１２の底面１２ｃにメディアスロット４０の装填口４２を設ける。カメラ本体１１の前面であって、その下端部に、カメラ本体１１の前面から突出するリブ２８を、カメラ本体の図中左端部から右端部に向けて延設する。レンズバリア１２が閉じ位置にある場合にはメディアスロットの装填口を露呈させ、レンズバリア１２を閉じ位置から開き位置に移動させると、メディアスロット４０の装填口４１がリブ２８によって被覆される。【選択図】図５
2007312062.tif 000002
【特許請求の範囲】
【請求項１】
撮像レンズが配置されたカメラ本体と、前記撮像レンズを被覆する位置と撮像レンズを露呈する位置との間で移動可能となるように前記カメラ本体に組み付けられるレンズバリアと、を備えたデジタルカメラにおいて、
前記レンズバリアは、少なくとも撮像することで得られた画像データを記録する記録媒体を保持する記憶媒体保持部を備え、
前記レンズバリアが前記撮像レンズを露呈する位置に移動したときに、前記記憶媒体保持部に保持された記憶媒体の着脱が防止されることを特徴とするデジタルカメラ。
【請求項２】
前記レンズバリアは、前記記憶媒体を前記記憶媒体保持部に抜き差しする装填口を備え、前記レンズバリアが前記撮像レンズを露呈する位置に移動したときに、前記装填口がカメラ本体によって被覆されることを特徴とする請求項１記載のデジタルカメラ。
【請求項３】
前記カメラ本体は、該カメラ本体を制御する本体側回路基板を備え、
前記レンズバリアは、前記本体側回路基板と電気的に接続され、前記記憶媒体保持部に保持された記憶媒体に記憶された画像データの読み出し、或いは該記憶媒体への画像データの書き込みを行うバリア側回路基板と、該バリア側回路基板に設けられ、前記レンズバリアが前記撮像レンズを被覆する位置にあるか否かを検知する位置検知手段を備えていることを特徴する請求項１又は２記載のデジタルカメラ。
【請求項４】
前記カメラ本体は、該カメラ本体を制御する本体側回路基板を備え、
前記レンズバリアは、前記記憶媒体保持部に保持された記憶媒体に記憶された画像データの読み出し、或いは該記憶媒体への画像データの書き込みを行うバリア側回路基板を備え、
前記レンズバリアが撮像レンズを露呈する位置に移動したときに、前記本体側回路基板と、バリア側回路基板とが電気的に接続されることを特徴とする請求項１又は２記載のデジタルカメラ。
【請求項５】
前記本体側回路基板及び前記バリア側回路基板は、それぞれ無線通信手段を有し、前記レンズバリアが前記撮像レンズを露呈する位置へと移動したときに、それぞれの基板に設けられた無線通信手段によってデータの送受信が行われることを特徴とする請求項３又は４記載のデジタルカメラ。
【請求項６】
前記レンズバリアは、その背面にバリア側回路基板による熱を放熱する放熱孔を備えた略箱形状から構成され、
前記カメラ本体は、前記レンズバリアが前記撮像レンズを被覆する位置にある場合に、前記放熱孔を遮蔽するカバーを備えていることを特徴とする請求項３〜５いずれか記載のデジタルカメラ。
【請求項７】
前記レンズバリアが前記撮像レンズを被覆する位置から移動したときに、前記レンズバリアの移動量を検出する移動量検出手段を備えていることを特徴とする請求項１〜６いずれか記載のデジタルカメラ。
【請求項８】
前記レンズバリアは外部接続コネクタを備えており、
前記外部接続コネクタに、前記記憶媒体保持部に挿入される記憶媒体とは異なる種類の記憶媒体が接続可能であることを特徴とする請求項１〜７いずれか記載のデジタルカメラ。
【請求項９】
前記レンズバリアは、回転自在に組み付けられたクリーニング部材と、前記レンズバリアが前記撮像レンズを被覆する位置にある場合に、前記クリーニング部材を回転させる駆動装置と、を備えたことを特徴とする請求項１〜８いずれか記載のデジタルカメラ。
【請求項１０】
前記バリア側回路基板は、複数の回路素子を備えており、
前記レンズバリアが前記撮像レンズを被覆する位置にある場合に、前記複数の回路素子のうち発熱量の多い回路素子が前記撮影レンズの前面近傍に位置するように配置されていることを特徴とする請求項１〜８いずれか記載のデジタルカメラ。
【発明の詳細な説明】
【技術分野】
【０００１】
本発明は、レンズバリアを移動させることによって、カメラ本体の前面に配置された撮像レンズが被覆、或いは露呈されるデジタルカメラに関するものである。
【背景技術】
【０００２】
一般に、普及しているカメラの中には、撮影レンズから取り込まれた被写体光を、例えばＣＣＤイメージセンサ等の撮像素子によって取り込むカメラ、所謂デジタルカメラがある。このデジタルカメラは、上述した撮像レンズや撮像素子の他に、カメラ本体の背面側の設けられるＬＣＤパネル、及びこれらを制御する制御基板等から構成されている。また、デジタルカメラは、メモリーカードを装填するためのメモリースロットを備えており、メモリースロットにメモリーカードが装填された状態では、撮像することで得られた画像データをメモリーカードに書き込んだり、メモリーカードに書き込まれた画像データを読み出してＬＣＤパネルに表示する、或いは画像データを削除する等の処理を行うことができるようになっている。
【０００３】
このようなデジタルカメラの中には、撮影レンズを保護するレンズバリアやレンズカバーを備えたものが提供されている。このようなレンズバリアやレンズカバーは、カメラ本体に対して、撮影レンズを被覆する位置と撮影レンズを露呈する位置との間でスライドするもの（例えば特許文献１など）や、カメラ本体の前面を覆う位置と、カメラ本体の前面から退避する位置との間で回動するもの（例えば特許文献２等）が提案されている。
【特許文献１】特開平１０−３３３２２２号公報
【特許文献２】特開平８−３１３９９０号公報
【発明の開示】
【発明が解決しようとする課題】
【０００４】
このようなデジタルカメラの場合、撮像時に得られた画像データを記憶するメディアカードなどの記憶媒体を装着するメディアスロットが設けられているのがほとんどである。このようなメディアスロットの装着口は、回動式のカバーによって被覆されていることが多い。また、このようなデジタルカメラの場合、部品点数を減らすために、デジタルカメラのバッテリを収納する収納空間とカメラ本体の厚み方向に積層した状態で配置し、メディアスロットの装着口を遮蔽するカバーを、バッテリをカメラ本体に保持するカバーとして兼用しているものが多い。しかしながら、最近ではデジタルカメラが小型化、或いは薄型化される傾向にあり、バッテリ収納空間とメディアスロットとを積層した場合には、カメラ本体の薄型化には限界がある。
【０００５】
本発明は、撮影レンズの前面に設けられるレンズバリアを有効に使用することでカメラ本体の厚みを薄くすることを目的とする。
【課題を解決するための手段】
【０００６】
本発明のデジタルカメラは、撮像レンズが配置されたカメラ本体と、前記撮像レンズを被覆する位置と撮像レンズを露呈する位置との間で移動可能となるように前記カメラ本体に組み付けられるレンズバリアと、を備えたデジタルカメラにおいて、前記レンズバリアは、少なくとも撮像することで得られた画像データを記録する記録媒体を保持する記憶媒体保持部を備え、前記レンズバリアが前記撮像レンズを露呈する位置に移動したときに、前記記憶媒体保持部に保持された記憶媒体の着脱が防止されることを特徴とする。なお、記憶媒体保持部としては、メディアカードが装填されるメディアスロットが挙げられる。
【０００７】
また、前記レンズバリアは、前記記憶媒体を前記記憶媒体保持部に抜き差しする装填口を備え、前記レンズバリアが前記撮像レンズを露呈する位置に移動したときに、前記装填口がカメラ本体によって被覆されることを特徴とする。
【０００８】
また、前記カメラ本体は、該カメラ本体を制御する本体側回路基板を備え、前記レンズバリアは、前記本体側回路基板と電気的に接続され、前記記憶媒体保持部に保持された記憶媒体に記憶された画像データの読み出し、或いは該記憶媒体への画像データの書き込みを行うバリア側回路基板と、該バリア側回路基板に設けられ、前記レンズバリアが前記撮像レンズを被覆する位置にあるか否かを検知する位置検知手段を備えていることを特徴する。
【０００９】
また、前記カメラ本体は、該カメラ本体を制御する本体側回路基板を備え、前記レンズバリアは、前記記憶媒体保持部に保持された記憶媒体に記憶された画像データの読み出し、或いは該記憶媒体への画像データの書き込みを行うバリア側回路基板を備え、前記レンズバリアが撮像レンズを露呈する位置に移動したときに、前記本体側回路基板と、バリア側回路基板とが電気的に接続されることを特徴とする。
【００１０】
また、前記本体側回路基板及び前記バリア側回路基板は、それぞれ無線通信手段を有し、前記レンズバリアが前記撮像レンズを露呈する位置へと移動したときに、それぞれの基板に設けられた無線通信手段によってデータの送受信が行われることを特徴とする。
【００１１】
また、前記レンズバリアは、その背面にバリア側回路基板による熱を放熱する放熱孔を備えた略箱形状から構成され、前記カメラ本体は、前記レンズバリアが前記撮像レンズを被覆する位置にある場合に、前記放熱孔を遮蔽するカバーを備えていることを特徴とする。
【００１２】
また、前記レンズバリアが前記撮像レンズを被覆する位置から移動したときに、前記レンズバリアの移動量を検出する移動量検出手段を備えていることを特徴とする。
【００１３】
また、前記レンズバリアは外部接続コネクタを備えており、前記外部接続コネクタに、前記記憶媒体保持部に挿入される記憶媒体とは異なる種類の記憶媒体が接続可能であることを特徴とする。
【００１４】
また、前記レンズバリアは、回転自在に組み付けられたクリーニング部材と、前記レンズバリアが前記撮像レンズを被覆する位置にある場合に、前記クリーニング部材を回転させる駆動装置と、を備えたことを特徴とする。
【００１５】
また、前記バリア側回路基板は、複数の回路素子を備えており、前記レンズバリアが前記撮像レンズを被覆する位置にある場合に、前記複数の回路素子のうち発熱量の多い回路素子が前記撮影レンズの前面近傍に位置するように配置されていることを特徴とする。
【発明の効果】
【００１６】
本発明のデジタルカメラは、撮像レンズが配置されたカメラ本体と、前記撮像レンズを被覆する位置と撮像レンズを露呈する位置との間で移動可能となるように前記カメラ本体に組み付けられるレンズバリアと、を備えたデジタルカメラにおいて、前記レンズバリアは、少なくとも撮像することで得られた画像データを記録する記録媒体を保持する記憶媒体保持部を備え、前記レンズバリアが前記撮像レンズを露呈する位置に移動したときに、前記記憶媒体保持部に保持された記憶媒体の着脱が防止されるから、記憶媒体保持部をカメラ本体ではなく、スペースに余裕があるレンズバリアに設けることで、カメラ本体の厚みの薄型化に寄与することができる。
【００１７】
また、前記レンズバリアは、前記記憶媒体を前記記憶媒体保持部に抜き差しする装填口を備え、前記レンズバリアが前記撮像レンズを露呈する位置に移動したときに、前記装填口がカメラ本体によって被覆されるから、従来では、カメラ本体に、記憶媒体保持部の装填口を遮蔽し、装填される記憶媒体の脱落を防止するカバーを設ける必要があったが、このような構成にすることで、レンズバリアに専用のカバーを設ける必要がなくなる。また、上述したカバーの開閉状態を検知する検知手段を設ける必要があったが、上述した構成とすることで、検知手段を設ける必要がない。これら理由によりデジタルカメラの部品点数を削減することができる。
【００１８】
また、前記カメラ本体は、該カメラ本体を制御する本体側回路基板を備え、前記レンズバリアは、前記本体側回路基板と電気的に接続され、前記記憶媒体保持部に保持された記憶媒体に記憶された画像データの読み出し、或いは該記憶媒体への画像データの書き込みを行うバリア側回路基板と、該バリア側回路基板に設けられ、前記レンズバリアが前記撮像レンズを被覆する位置にあるか否かを検知する位置検知手段を備えているから、レンズバリアの位置によって主電源のオンオフの切替を行うことができる。
【００１９】
また、前記カメラ本体は、該カメラ本体を制御する本体側回路基板を備え、前記レンズバリアは、前記記憶媒体保持部に保持された記憶媒体に記憶された画像データの読み出し、或いは該記憶媒体への画像データの書き込みを行うバリア側回路基板を備え、前記レンズバリアが撮像レンズを露呈する位置に移動したときに、前記本体側回路基板と、バリア側回路基板とが電気的に接続されるから、レンズバリアの開閉を検知する位置検知センサを新たに設ける必要はない。
【００２０】
また、前記本体側回路基板及び前記バリア側回路基板は、それぞれ無線通信手段を有し、前記レンズバリアが前記撮像レンズを露呈する位置へと移動したときに、それぞれの基板に設けられた無線通信手段によってデータの送受信が行われるから、本体側回路基板、及びバリア側回路基板を電気的に接続する接続端子の数を減らすことができる。
【００２１】
また、前記レンズバリアは、その背面にバリア側回路基板による熱を放熱する放熱穴を備えた略箱形状から構成され、前記カメラ本体は、前記レンズバリアが前記撮像レンズを被覆する位置にある場合に、前記放熱穴を遮蔽するカバーを備えているから、レンズバリアを、撮影レンズを露呈する位置まで移動させたときに放熱穴が開放され、バリア側回路基板の放熱性を向上させることができる。また、レンズバリアを、撮影レンズを遮蔽する位置に移動させたときには、放熱穴が遮蔽されることになるので、塵やゴミなどの異物の混入を防止することができる。
【００２２】
また、前記レンズバリアが前記撮像レンズを被覆する位置から移動したときに、前記レンズバリアの移動量を検出する移動量検出手段を備えているから、移動量検出手段によって検出された移動量に応じて、例えばズーム倍率を変更することが可能となるので、カメラ本体の背面等に設けられたズーム倍率変更ボタン等を配置する必要が無くなる。
【００２３】
また、前記レンズバリアは外部接続コネクタを備えており、前記外部接続コネクタに、前記記憶媒体保持部に挿入される記憶媒体とは異なる種類の記憶媒体が接続可能であるから、複数の記憶媒体をレンズバリアに装填することができる。
【００２４】
また、前記レンズバリアは、回転自在に組み付けられたクリーニング部材と、前記レンズバリアが前記撮像レンズを被覆する位置にある場合に、前記クリーニング部材を回転させる駆動装置と、を備えたから、レンズバリアを、撮影レンズを露呈する位置から被覆する位置まで移動させる、つまりデジタルカメラの使用をやめたときに撮影レンズに付着した塵やゴミ等の汚れをすることができる。
【００２５】
また、前記バリア側回路基板は、複数の回路素子を備えており、前記レンズバリアが前記撮像レンズを被覆する位置にある場合に、前記複数の回路素子のうち発熱量の多い回路素子が前記撮影レンズの前面近傍に位置するように配置されているから、撮影レンズを回路素子の発熱によって暖めることができるので、レンズに水滴が付着する、所謂結露を防止することができる。
【発明を実施するための最良の形態】
【００２６】
図１は、本発明のデジタルカメラの前面の外観構成について、図２は、その後面の外観構成を示す斜視図である。デジタルカメラ１０は、横長のカメラ本体１１の前面１１ａにレンズバリア１２を備えた構成からなる。このデジタルカメラ１１の前面１１ａであって、その上端縁部には、撮影レンズ１５及びストロボ発光部１６（図６参照）が設けられている。また、このデジタルカメラ１１の上面１１ｂには、レリーズボタン１７が設けられている。
【００２７】
カメラ本体１１の背面１１ｃには、ＬＣＤ（液晶ディスプレイ）２０や操作部２１が設けられている。ＬＣＤ２０は、ＣＣＤなどの撮像素子（図示せず）によって取り込まれた被写体画像を表示する、所謂電子ビューファインダとして使用される他、後述するメディアカード４５などに記憶された画像データを用いた画像表示や、設定変更を行う場合に設定メニューなどの表示などが行われる。操作部２１は、ズーム操作ボタン２２や、メニューボタン２３、十字キー２４などから構成され、撮像時や、設定時などに操作される。
【００２８】
このカメラ本体１１の前面１１ａであって、その長手方向の両端部と、幅方向の下端部にはリブ２６〜２８が形成されている。これらリブ２６〜２８のうち、リブ２６はレンズバリア１２が撮像レンズ１５を被覆する位置（以下、閉じ位置）にある場合に、レンズバリア１２の一側面１２ａが当接され、リブ２７は、レンズバリア１２が撮像レンズ１５を露呈する位置（開き位置）にある場合に、レンズバリア１２の一側面１２ｂが当接される。また、リブ２８は、レンズバリア１２の下面１２ｃと対峙するように設けられている。このリブ２８は、リブ２７から、カメラ本体１１の長手方向に向けて延設されている。このリブ２８の一端とリブ２６との間には、空間３０が設けられている。この空間３０は、後述するメディアカードをレンズバリア１２に設けられたメディアスロット４０に装填する、或いは取り外す際にメディアカード４５を挿通させるための空間となる。
【００２９】
レンズバリア１２は、カメラ本体１１の前面１１ａに組み付けられている。このレンズバリア１２は、閉じ位置（図３参照）と開き位置（図１参照）との間でスライド自在となるように組み付けられている。このレンズバリア１２の上端部には、レンズバリア１２のスライド方向に延びる開口３５が設けられている。この開口３５は、レンズバリア１２が開き位置にある場合に、カメラ本体１１に設けられたストロボ発光部１６の前面に位置し、ストロボ発光部１６を外部に露呈する。
【００３０】
図４及び図５に示すように、レンズバリア１２は、メディアスロット（記憶媒体保持部）４０及びメディアスロット４０と接続される回路基板４１とを備えている。このレンズバリア１２の下面１２ｃには、メディアスロット４０にメディアカード（記憶媒体）４５を抜き差しするための装填口４２が設けられている。この装填口４２はレンズバリア１２が閉じ位置にある場合に、カメラ本体１１に設けられたリブ２６とリブ２８との間の空間３０によって外部に露呈される。そして、レンズバリア１２が閉じ位置から開き位置に移動したときには、装填口４２は、リブ２８によって被覆される。これにより、レンズバリア１２が閉じ位置にある場合には、メディアカード４５の抜き差しが可能となる。
【００３１】
上述したように、回路基板４１は、メディアスロット４０と電気的に接続される。この回路基板４１には、メディアスロット４０に装填されたメディアカード４５に画像データへの書き込みや、メディアカード４５に書き込まれている画像データの読み出しを行うメディアコントローラ４６を備えている。また、回路基板４１には、レンズバリア１２の開き位置を検知する位置検知スイッチ４７が設けられている。この位置検知スイッチ４７は、レンズバリア１２が閉じ位置にある場合にオフとなり、閉じ位置から開き位置にスライドされるとオンとなる。なお、位置検知スイッチ４７がオンとなることで、デジタルカメラ１０に給電が行われ、デジタルカメラ１０において、被写体像の撮像、或いは画像データの表示などを行うことが可能となる。これにより、位置検知スイッチ４７は、電源スイッチとして機能する。なお、位置検知スイッチ４７としては、レンズバリアが開き位置、或いは閉じ位置のいずれかにあるかを検知できるものであればよい。
【００３２】
図６に示すように、カメラ本体１１には、ＬＣＤ２０、ストロボ発光部１６等の駆動制御を行う制御回路基板５０が内蔵されている。カメラ本体１１の前面１１ａには、制御回路基板５０に組み付けられた接続端子５１，５２が挿通される開口５３，５４が設けられている。これら接続端子５１，５２は、レンズバリア１２の背面１２ｄに設けられた開口５６，５７にそれぞれ挿通され、レンズバリア１２に設けられる回路基板４１の回路パターンに当接される。これにより、カメラ本体１１に設けられた制御回路基板５０と、レンズバリア１２の回路基板４１とが電気的に接続される。
【００３３】
このように、レンズバリア１２に、メディアスロット４０と、該メディアスロット４０と接続される回路基板４１とを設けることで、カメラ本体１１に組み込まれる構成部品の点数を減らすことができるので、カメラ本体１１の厚みを薄型化することができる。また、レンズバリア１２に設けられる回路基板４０に電源スイッチとして機能する位置検知スイッチ６０を設けることで、カメラ本体１１に電源ボタン（或いは電源スイッチ）を設ける必要が無くなる。さらに、位置検知スイッチ４７をレンズバリア１２に内蔵される回路基板４１に直接組み付けることで、ハーネスなどを介して組み付ける必要が無くなる。
【００３４】
本実施形態では、カメラ本体１１に設けられる制御回路基板５０と、レンズバリア１２に内蔵される回路基板４１とを、制御回路基板４１に設けられた接続端子５１，５２によって接続し、レンズバリア１２に設けられた位置検知スイッチ４７がオンとなるときに、制御回路基板５０と、回路基板４１とに給電が行われるようにしているが、これに限定する必要はなく、例えば、レンズバリア１２が閉じ位置から開き位置へとスライドしたときに、レンズバリア１２に設けられた回路基板４０をカメラ本体１１に設けられた制御回路基板５０に電気的に接続するようにしてもよい。この場合、レンズバリア１２が開き位置にスライドした場合に、カメラ本体１１から突出する接続端子をレンズバリア１２に設けられる回路基板４０の回路パターンに当接させる。これによれば、位置検知スイッチを設ける必要が無くなるので、部品点数を減らすことができる。
【００３５】
また、これら場合、カメラ本体に設けられる制御回路基板と、レンズバリアに設けられる回路基板との間のデータの送受信を赤外線通信で行うようにしても良い。なお、以下では、本実施形態と同一の機能を有する箇所については、本実施形態と同一の符号を付して説明する。例えば、図７に示すように、カメラ本体１１に設けられる制御回路基板５０に赤外線を送受信できる送受信部６５を設け、カメラ本体１１の前面１１ａに設けられた開口６６から露呈させる。また、レンズバリア１２を背面が開口された略箱形状のバリア本体６８と、バリア本体６８の背面を覆う蓋部材６９とから構成し、赤外線を送受信できる送受信部７０を設けた回路基板４１をバリア本体６８の内部に収納する。また、蓋部材６９に開口７１を設け、この開口７１から送受信部７０を露呈させる。例えばレンズバリア１２が閉じ位置から開き位置に移動した場合に、制御回路基板５０に設けられた送受信部６５と、レンズバリア１２に設けられた回路基板４１の送受信部７０とを対面させることで、一方の送信部から送信された、赤外線に光変換されたデータを他方の受信部で受信することで、データの送受信を行う。また、赤外線通信の他に、無線通信を行うことも可能である。この場合、無線に使用する電波を他の機器が使用していない周波数を用いる必要がある。なお、符号７５は、レンズ鏡胴である。
【００３６】
また、本実施形態に加えて、放熱用の開口を設けることも可能である。図８，９に示すように、レンズバリア１２をバリア本体６８の背面を覆う蓋部材６９に放熱用の開口（放熱孔）８０を、カメラ本体１１にレンズバリア１２が閉じ位置にある場合に、レンズバリア１２に設けられた放熱用の開口８０を遮蔽するカバー部８１を設ける。図９に示すように、レンズバリア１２を閉じ位置から開き位置に移動した場合に、放熱用の開口８０と、カバー部８１との相対位置が変化し、放熱用の開口８０が開放されることになるので、回路基板４１に組み込まれた例えばメディアコントローラなどの回路構成素子８２の発した熱をレンズバリア１２と、カメラ本体１１の前面との間の隙間から逃がすことができる。また、図８に示すように、レンズバリア１２を閉じ位置へとスライドさせた場合には、放熱用の開口８０がカバー部８１によって被覆されるので、レンズバリア１１の内部に塵やゴミなどの混入を防止することができる。なお、放熱用の開口８０は、レンズバリア１２の背面に限定される必要はなく、上面或いは下面に設けても良い。
【００３７】
また、本実施形態に加えて、レンズバリア１２の移動量を検知することも可能である。この場合、図１０、１１に示すように、カメラ本体１１に設けられる制御回路基板５０に、スライドボリューム（移動量検出手段）９０を設け、このスライドボリューム９０のスライド片９１をレンズバリア１２に係合させる。この場合、図１０に示すように、撮像レンズ１５が露呈された時に、スライドボリューム９０の抵抗値の変化を有効にし、スライドボリュームの抵抗値の変化を利用してズーム倍率を変更する。例えばレンズバリア１２を図１０中Ａ方向に移動させると、ズーム倍率がワイド（広角）側に変化し、レンズバリア１２を図１１中Ｂ方向に移動させると、ズーム倍率がテレ（望遠）側に変化する。これにより、カメラ本体１１の背面に設けられたズーム操作ボタンを設ける必要が無くなり、部品点数を減らすことができる。なお、レンズバリア１２の位置変化を検知する方法は、スライドボリューム９０に限定する必要はなく、例えばロータリーエンコーダを用いることも可能である。
【００３８】
さらに、ＵＳＢ接続型のストレージメディアを接続できるようにしてもよい。この場合、図１２に示すように、レンズバリア１２にＵＳＢコネクタ部１００を設ける。また、カメラ本体１１に設けられるリブ２６に、ＵＳＢコネクタ１０１を有するストレージメディア１０２を挿通可能な凹部２６ａを設ける。このような凹部２６ａをリブ２６に設けることで、レンズバリア１２が閉じ位置であってもストレージメディア１０２を接続することが可能となる。これにより、メディアカード４５の他に、他の形態のメモリを接続可能とすることで、他のメモリに対する互換性を向上させることができる。
【００３９】
また、この他に、レンズバリアが閉じ位置にある場合に、撮像レンズをクリーニングする機構をレンズバリアに設けることも可能である。図１３に示すように、レンズバリア１２にクリーニング機構１１０を設け、このクリーニング機構１１０をクリーニングブラシ１１１と、クリーニングブラシ１１１を回転させるモータ１１２とから構成する。また、レンズバリア１２を構成する蓋部材６９に開口１１３を設け、クリーニングブラシ１１１のブラシ部１１１ａを露呈させる。また、図示は省略するが、レンズバリア１２に設けられる回路基板４０の回路構成部品にコンデンサを含んで回路基板４１の回路を構成する。この回路に該コンデンサに蓄電を行う回路と、コンデンサに蓄電された電気を用いて、モータ１１１を駆動する回路とを設ける。また、コンデンサに蓄電を行う回路にレンズバリア１２が開き位置にある場合にオンとなるスイッチを、モータ１１２を駆動する回路にレンズバリア１２閉じ位置にある場合にオンとなるスイッチをそれぞれ設ける。これにより、レンズバリア１２が開き位置にスライドしたときにはコンデンサに電気が蓄電され、また、レンズバリア１２が閉じ位置にスライドしたときにはモータ１１２が駆動することでクリーニングブラシ１１１が回転し、撮像レンズ１５の表面の汚れを落とすことができる。なお、モータ１１２はコンデンサの蓄電が消費されたときに停止する。なお、符号１１３はレンズ鏡胴である。
【００４０】
また、この他に、図１４に示すように、レンズバリア１２に設けられる回路基板４１に組み付けられる回路素子のうち発熱量の多い回路素子１２０を、レンズバリア１２が閉じ位置にある場合に撮像レンズ１５の前面、或いはその近傍となるように配置することも可能である。これによれば、デジタルカメラを使用した後に、回路素子１２０の余熱を用いて、撮像レンズ１５を暖めることが可能となるので、撮像レンズ１５の結露を防止することができる。
【図面の簡単な説明】
【００４１】
【図１】レンズバリアが開き位置にある場合のデジタルカメラの前面の外観を示す斜視図である。
【図２】デジタルカメラの背面の外観を示す斜視図である。
【図３】レンズバリアが閉じ位置にある場合のデジタルカメラの前面の外観を示す斜視図である。
【図４】レンズバリアが閉じ位置にある場合のデジタルカメラの下面の構成を示す斜視図である。
【図５】レンズバリアが開き位置にある場合のデジタルカメラの下面の構成を示す斜視図である。
【図６】レンズバリアと、カメラ本体とを分割して示す斜視図である。
【図７】カメラ本体に設けられる制御回路基板と、レンズバリアに設けられる回路基板とのデータを赤外線通信で行う場合であって、レンズバリアが開き位置にある場合を示すデジタルカメラの断面図である。
【図８】レンズバリアに放熱用の開口を設けた場合の実施形態であって、レンズバリアが閉じ位置にある場合のデジタルカメラの断面図である。
【図９】レンズバリアに放熱用の開口を設けた場合の実施形態であって、レンズバリアが開き位置にある場合のデジタルカメラの断面図である。
【図１０】レンズバリアをズーム操作ボタンの機能として用いる場合であって、ズーム倍率がテレ（望遠）となる場合のレンズバリアの位置を示すデジタルカメラの外観図である。
【図１１】レンズバリアをズーム操作ボタンの機能として用いる場合であって、ズーム倍率がワイド（広角）となる場合のレンズバリアの位置を示すデジタルカメラの外観図である。
【図１２】レンズバリアにＵＳＢ接続部を設け、ＵＳＢ接続型のストレージメディアを装着可能とした実施形態を示すデジタルカメラの斜視図である。
【図１３】レンズバリアに撮像レンズをクリーニングするクリーニング機構を設けた場合の実施形態を示すデジタルカメラの断面図である。
【図１４】レンズバリアに設けられる回路基板に実装される回路素子のうち、発熱量の高い回路素子を撮像レンズ近傍に配置した場合の実施形態を示すデジタルカメラの断面図である。
【符号の説明】
【００４２】
１０  デジタルカメラ
１１  カメラ本体
１２  レンズバリア
１５  撮像レンズ
４０  メディアスロット
４１  回路基板
４５  メディアカード
４７  位置検知センサ
５０  制御回路基板
６５，７０  送受信部
６８  バリア本体
６９  蓋部材
８０  開口
８１  カバー部
８２、１２０  回路素子
９０  スライドボリューム
１０２  ストレージメディア
１１０  クリーニング機構
１１１  クリーニングブラシ
１１１ａ  ブラシ部
１１２  モータ
【図１】
2007312062.tif 000003
【図２】
2007312062.tif 000004
【図３】
2007312062.tif 000005
【図４】
2007312062.tif 000006
【図５】
2007312062.tif 000007
【図６】
2007312062.tif 000008
【図７】
2007312062.tif 000009
【図８】
2007312062.tif 000010
【図９】
2007312062.tif 000011
【図１０】
2007312062.tif 000012
【図１１】
2007312062.tif 000013
【図１２】
2007312062.tif 000014
【図１３】
2007312062.tif 000015
【図１４】
2007312062.tif 000016